(57)【要約】【課題】画像形成装置の設定情報の設定変更に管理者に承認を依頼する操作を必要とすることで誤設定を防止すること等を可能とした画像形成装置、制御方法、及びプログラムを提供する。【解決手段】画像形成装置は、制御部２０１、操作部２０５、ＮＶＲＡＭ２０８を備える。制御部２０１は、操作部２０５の設定画面から入力された設定変更の申請を管理者に通知し、設定変更の申請が管理者により承認された場合、承認された設定変更と設定変更の意図をＮＶＲＡＭ２０８に記憶する。制御部２０１は、配信された設定情報が前記承認された設定情報である場合、外部から配信された設定情報による設定変更と承認された設定変更のいずれを優先するかの設定に従って、設定変更を行う。【選択図】図１３
2012025009.tif 000002
【特許請求の範囲】
【請求項１】
ネットワークを介して外部と通信が可能に構成され、設定情報に従って画像形成を含む動作を行う画像形成装置であって、
設定情報の設定変更の申請と設定変更の意図を入力する入力手段と、
前記入力手段により入力された設定変更の申請を前記ネットワークを介して管理者に通知する通信手段と、
前記設定変更の申請が前記管理者により承認されたか否かを判断する判断手段と、
前記判断手段により前記設定変更の申請が承認されたと判断された場合、承認された設定変更と設定変更の意図を記憶する記憶手段と、
前記ネットワークを介して外部から配信された設定情報による設定変更と前記承認された設定変更のいずれを優先するかを設定する設定手段と、
前記外部から配信された設定情報が前記承認された設定情報である場合、前記設定手段により設定された設定変更を優先する制御手段と、を備えることを特徴とする画像形成装置。
【請求項２】
前記制御手段は、前記設定手段により前記承認された設定変更を優先すると設定されている場合は、前記画像形成装置が保持する設定情報を前記配信された設定情報で上書きを行わず、前記設定手段により前記配信された設定情報による設定変更を優先すると設定されている場合は、前記画像形成装置が保持する設定情報を前記配信された設定情報で上書きを行うことを特徴とする請求項１記載の画像形成装置。
【請求項３】
前記制御手段は、前記承認された設定変更を優先した場合は、その旨を前記設定情報を配信してきた配信元に対して前記通信手段により通知し、前記配信された設定情報による設定変更を優先した場合は、その旨を承認された設定変更の申請元に対して前記通信手段により通知することを特徴とする請求項１又は２に記載の画像形成装置。
【請求項４】
前記設定情報には、前記ネットワークに接続された機器を管理するプロトコルを使用するか否かを示す設定情報が含まれることを特徴とする請求項１乃至３のいずれか１項に記載の画像形成装置。
【請求項５】
ネットワークを介して外部と通信が可能に構成され、設定情報に従って画像形成を含む動作を行う画像形成装置の制御方法であって、
設定情報の設定変更の申請と設定変更の意図を入力する入力工程と、
前記入力工程により入力された設定変更の申請を前記ネットワークを介して管理者に通知する通信工程と、
前記設定変更の申請が前記管理者により承認されたか否かを判断する判断工程と、
前記判断工程により前記設定変更の申請が承認されたと判断された場合、承認された設定変更と設定変更の意図を記憶する記憶工程と、
前記ネットワークを介して外部から配信された設定情報による設定変更と前記承認された設定変更のいずれを優先するかを設定する設定工程と、
前記外部から配信された設定情報が前記承認された設定情報である場合、前記設定工程により設定された設定変更を優先する制御工程と、を有することを特徴とする制御方法。
【請求項６】
ネットワークを介して外部と通信が可能に構成され、設定情報に従って画像形成を含む動作を行う画像形成装置の制御方法をコンピュータに実行させるためのコンピュータで読み取り可能なプログラムであって、前記制御方法は、
設定情報の設定変更の申請と設定変更の意図を入力する入力工程と、
前記入力工程により入力された設定変更の申請を前記ネットワークを介して管理者に通知する通信工程と、
前記設定変更の申請が前記管理者により承認されたか否かを判断する判断工程と、
前記判断工程により前記設定変更の申請が承認されたと判断された場合、承認された設定変更と設定変更の意図を記憶する記憶工程と、
前記ネットワークを介して外部から配信された設定情報による設定変更と前記承認された設定変更のいずれを優先するかを設定する設定工程と、
前記外部から配信された設定情報が前記承認された設定情報である場合、前記設定工程により設定された設定変更を優先する制御工程と、を有することを特徴とするプログラム。
【発明の詳細な説明】
【技術分野】
【０００１】
本発明は、印刷環境の設定情報やネットワークに関する設定情報の保存と設定変更が可能な画像形成装置、制御方法、及びプログラムに関する。
【背景技術】
【０００２】
従来、両面印刷や印刷物の綴じ代などの印刷に関する印刷環境の設定情報、ネットワーク上のサービスの利用などのネットワークに関する設定情報など、各種の設定情報を保持しておくことが可能な画像形成装置が存在する。この種の画像形成装置においては、システム管理者の管理方針や各ユーザの使用目的などに応じて、各種の設定情報（設定項目）をカスタマイズして保存及び登録しておくことができる。
【０００３】
他方、上述したような印刷環境の設定情報をその設定意図を示す情報とともに記憶部に記憶しておくようにしている画像形成装置が提案されている（例えば、特許文献１参照）。特許文献１に記載された画像形成装置においては、ユーザが印刷環境の設定情報を編集する際に、記憶部に記憶されている印刷環境の設定情報及び設定意図を示す情報を表示部に表示することで、設定情報と設定意図を参照することができる。
【０００４】
また、複数の機器でそれぞれ保持している設定情報（設定項目）を同じ設定値に上書きして同期させる機器情報配信サービスと呼ばれる機能が存在する。機器情報配信機能は、同一の設定値に揃えたい機器に対して設定値を示す情報を送信することにより、複数の機器に対して一括で設定値を上書き変更するものである。機器情報配信機能により、機器一台一台に対して別々に設定値を変更する手間が不要となるため、多数の機器を管理するような場合に便利な機能である。
【先行技術文献】
【特許文献】
【０００５】
【特許文献１】特開平８−３２０７６９号公報
【発明の概要】
【発明が解決しようとする課題】
【０００６】
上述した機器情報配信サービスは、複数の機器に対して全ての設定項目を一括で上書き変更して同一の設定値に揃えるという機能である。そのため、機器毎にカスタマイズが必要な設定項目も、機器情報配信サービスにより各機器に対して一括で上書き変更されてしまうことになる。しかしながら、機器情報配信サービスによって全ての設定項目を例外なく上書き変更したいという要望がある一方で、機器毎にカスタマイズが必要な設定項目は例外的に上書きの対象外にしたいという要望もある。これら２つの要望は相反する。
【０００７】
本発明の目的は、画像形成装置の設定情報の設定変更に管理者に承認を依頼する操作を必要とすることで誤設定を防止すること等を可能とした画像形成装置、制御方法、及びプログラムを提供することにある。
【課題を解決するための手段】
【０００８】
上記目的を達成するために、本発明は、ネットワークを介して外部と通信が可能に構成され、設定情報に従って画像形成を含む動作を行う画像形成装置であって、設定情報の設定変更の申請と設定変更の意図を入力する入力手段と、前記入力手段により入力された設定変更の申請を前記ネットワークを介して管理者に通知する通信手段と、前記設定変更の申請が前記管理者により承認されたか否かを判断する判断手段と、前記判断手段により前記設定変更の申請が承認されたと判断された場合、承認された設定変更と設定変更の意図を記憶する記憶手段と、前記ネットワークを介して外部から配信された設定情報による設定変更と前記承認された設定変更のいずれを優先するかを設定する設定手段と、前記外部から配信された設定情報が前記承認された設定情報である場合、前記設定手段により設定された設定変更を優先する制御手段と、を備えることを特徴とする。
【発明の効果】
【０００９】
本発明によれば、画像形成装置の設定情報の設定変更には管理者に承認を依頼する操作が必要となるので、誤設定を防止することが可能となる。また、管理者に承認された設定情報が配信された設定情報によって上書きされるかどうかは、設定手段により設定された設定変更を優先するので、管理性を向上させることが可能となる。
【図面の簡単な説明】
【００１０】
【図１】本発明の第１の実施の形態に係るネットワークシステムの構成を示す概略図である。
【図２】画像形成装置の構成例を示すブロック図である。
【図３】画像形成装置のユーザインタフェースである操作部の構成を示す図である。
【図４】設定画面の一例を示す図である。
【図５】設定画面の一例を示す図である。
【図６】設定画面の一例を示す図である。
【図７】設定画面の一例を示す図である。
【図８】設定画面の一例を示す図である。
【図９】設定画面の一例を示す図である。
【図１０】設定画面の一例を示す図である。
【図１１】設定画面の一例を示す図である。
【図１２】設定画面の一例を示す図である。
【図１３】画像形成装置の制御例を示すフローチャートである。
【図１４】設定画面の一例を示す図である。
【図１５ａ】画像形成装置のネットワーク設定に関する設定項目一覧の一例を示す図である。
【図１５ｂ】画像形成装置のネットワーク設定に関する設定項目一覧の一例を示す図である。
【図１５ｃ】画像形成装置のネットワーク設定に関する設定項目一覧の一例を示す図である。
【図１６】設定画面の一例を示す図である。
【図１７】画像形成装置の制御例を示すフローチャートである。
【図１８】機器情報配信サービスで配信されるデバイス設定値情報の一例を示す図である。
【図１９】本発明の第２の実施の形態に係る画像形成装置の制御例を示すフローチャートである。
【発明を実施するための形態】
【００１１】
以下、本発明の実施の形態について図面を参照しながら説明する。
【００１２】
〔第１の実施の形態〕
図１は、本発明の第１の実施の形態に係るネットワークシステムの構成を示す概略図である。
【００１３】
図１において、ネットワークシステムは、複数の画像形成装置１０１〜１０３、システム管理者が保持する管理装置１１０、一般のユーザが保持する情報処理装置（ホストコンピュータ：不図示）がネットワーク１００を介して互いに通信可能に構成されている。本実施の形態では、画像形成装置１０１〜１０３は例えばプリンタ（印刷装置）として構成されている。また、本実施の形態では、画像形成装置１０１〜１０３は全て機器情報配信サービス（機器設定情報同期システム）を提供することが可能に構成されている。
【００１４】
次に、画像形成装置１０１〜１０３が提供する機器情報配信サービスについて説明する。機器情報配信サービスは、機器情報配信側の画像形成装置（情報配信装置）と、機器情報受信側の画像形成装置とによって実行される。画像形成装置１０１〜１０３は、それぞれ互いに機器情報配信機能に対応しており、自身が機器情報配信側となる場合は通信相手側が機器情報受信側となり、自身が機器情報受信側となる場合は通信相手側が機器情報配信側となる。画像形成装置１０１〜１０３は、設定情報に従って画像形成（印刷）を含む各種動作を行う。
【００１５】
機器情報配信側のデバイス（画像形成装置）は、ネットワーク１００を介して自身の設定情報を機器情報受信側のデバイスに送信する。機器情報受信側のデバイス（画像形成装置）は、機器情報配信側のデバイスから設定情報を受信すると、受信した設定情報を自身の設定情報に上書きし登録する。これにより、ネットワーク１００上の複数のデバイス（画像形成装置）の設定情報を統一することが容易になる。
【００１６】
機器情報配信サービスによって配信できる設定情報には、例えば、デバイス設定値情報、アドレス帳情報、部門管理情報などがある。機器情報配信サービスで配信されるデバイス設定値情報の一例を図１８に示す。図１８の例では、デバイス設定値情報の設定項目であるネットワーク設定の「ＳＮＭＰｖ１を使用」は、設定値が「ＯＦＦ」であることを示している（ネットワークに接続された機器を管理するプロトコルを使用するか否かを示す設定情報）。但し、ＳＮＭＰ：Simple Network Management Protocol。
【００１７】
機器情報配信サービスは、より具体的にはＷｅｂサービス技術を用いて実行される。Ｗｅｂサービス技術とは、ＸＭＬ、ＳＯＡＰなどの技術を用いて、ネットワークにより接続された機器間の連携によって様々なネットワーク上のサービスを利用できるようにした技術である。つまり、本実施の形態の画像形成装置１０１〜１０３は、それぞれＷｅｂサービス技術のプロトコルに対応した画像形成装置である。但し、ＸＭＬ：Extensible Markup Language、ＳＯＡＰ：Simple Object Access Protocol。
【００１８】
ネットワークシステムにおいて、例えば画像形成装置１０３が機器情報配信サービスを用いることによって自身のデバイス設定値情報を画像形成装置１０１〜１０２に送信する場合を想定する。この場合は、画像形成装置１０１〜１０２には画像形成装置１０３から送信されたデバイス設定値情報が設定されるので、ネットワーク上の画像形成装置１０１〜１０２のデバイス設定値情報を統一することができる。上述したように、画像形成装置１０１〜１０３はそれぞれ機器情報配信機能に対応しているので、いずれの画像形成装置も配信側にも受信側にもなることができる。
【００１９】
本実施の形態では、簡単のため、情報の配信側と情報の受信側を意識する必要がある場合に、画像形成装置１０３を機器情報配信側デバイス、画像形成装置１０１〜１０２を機器情報受信側デバイスとして説明することにする。
【００２０】
図２は、画像形成装置の構成例を示すブロック図である。
【００２１】
図２において、画像形成装置１０１は、制御部２０１、ＲＯＭ２０２、ＲＡＭ２０３、ＨＤＤ２０４、操作部２０５、プリンタ部２０６、外部インタフェース（以下Ｉ／Ｆ）２０７、ＮＶＲＡＭ２０８を備えている。画像形成装置１０２、画像形成装置１０３の構成も画像形成装置１０１の構成と同様である。
【００２２】
外部Ｉ／Ｆ２０７は、自身の画像形成装置とネットワーク１００に接続された他の画像形成装置、システム管理者が保持する管理装置１１０、一般のユーザが保持する情報処理装置との間で画像データ／各種情報の送受信を行う。プリンタ部２０６は、自身の画像形成装置に入力された画像データに対応した画像を記録紙に印刷する。操作部２０５は、図３で後述するタッチパネル部、キー入力部を備えており、タッチパネル部、キー入力部を介してユーザからの指示を受け付け、タッチパネル部に各種表示を行う。
【００２３】
制御部２０１は、各部（ＲＯＭ２０２〜ＮＶＲＡＭ２０８等）で行う処理と動作を統括的に制御するものであり、制御プログラム（プログラムコード）に基づき後述する各フローチャート（図１３、図１７、図１９）に示す処理を実行する。ＲＯＭ２０２は、制御プログラム、後述する各種設定画面を表示するために必要な表示制御プログラムを記憶する。また、ＲＯＭ２０２は、ネットワーク１００上の情報処理装置から受信したＰＤＬ（ページ記述言語）コードデータを制御部２０１が解釈しラスタイメージデータに展開する動作を実行するためのプログラムを記憶する。また、ＲＯＭ２０２は、機器情報配信サービスの送信処理／受信処理を行うためのプログラムを記憶する。更に、ＲＯＭ２０２は、ブートシーケンス、フォント情報等を記憶する。
【００２４】
ＲＡＭ２０３は、情報処理装置から外部Ｉ／Ｆ２０７を介して送信されてきた画像データ、ＲＯＭ２０２からロードされた各種プログラム、設定情報を記憶する。ＨＤＤ（ハードディスクドライブ）２０４は、ハードディスク、該ハードディスクへのデータの読み出し／書き込みを行う駆動部を備える。ＨＤＤ２０４は、外部Ｉ／Ｆ２０７を介して入力された画像データなどを記憶するための大容量の記憶装置である。ＮＶＲＡＭ２０８は、不揮発性のメモリであり、画像形成装置の各種設定値の保存に用いる。
【００２５】
制御部２０１は、ユーザからの指示に基づいて、ＨＤＤ２０４に格納された画像データに対応した画像を記録紙にプリンタ部２０６によって印刷する。また、制御部２０１は、ユーザからの指示に基づいて、ＨＤＤ２０４に格納された画像データを外部Ｉ／Ｆ２０７を介して情報処理装置へ送信する。また、制御部２０１は、同様に、外部Ｉ／Ｆ２０７を介して情報処理装置から画像データを取得する。また、制御部２０１は、外部Ｉ／Ｆ２０７を介してネットワーク１００に接続されている装置（他の画像形成装置、管理装置１１０、情報処理装置）を探索する。
【００２６】
図３は、画像形成装置のユーザインタフェースである操作部の構成を示す図である。
【００２７】
図３において、操作部２０５は、タッチパネル部３０１と、キー入力部３０２とを備えている。タッチパネル部３０１は、ＬＣＤ（Liquid Crystal Display：液晶表示部）と、ＬＣＤ上に貼られた透明電極から構成されており、各種設定画面を表示する表示機能とユーザからの指示を受け付ける指示入力機能を兼ね備える。タッチパネル部３０１には、ユーザから指示を受け付けるための後述の各種設定画面（図４〜図１２、図１４、図１６参照）が表示される。
【００２８】
キー入力部３０２は、各種ハードキー（電源キー３０３、ストップキー３０４、スタートキー３０５、テンキー３０６、ユーザモードキー３０７）を備えている。スタートキー３０５は、プリントジョブや送信ジョブの実行を画像形成装置に開始させる場合に用いる。テンキー３０６は、印刷部数等の数値入力の設定を行う場合に用いる。ユーザモードキー３０７は、画像形成装置の各種設定を行う場合に用いる。ユーザモードキー３０７の押下によりタッチパネル部３０１に各種設定画面が表示されるため、画像形成装置の各種設定を行うことができる。
【００２９】
制御部２０１は、タッチパネル部３０１に対する各種設定画面を表示する制御を行う。また、制御部２０１は、タッチパネル部３０１に表示される各種設定画面を介して受け付けたユーザ指示、あるいはキー入力部３０２を介して受け付けたユーザ指示に基づいた各種処理を行うように画像形成装置を制御する。
【００３０】
次に、上記の構成を備える本実施の形態の特徴について図４乃至図１７を参照しながら説明する。
【００３１】
＜ユーザモードの設定画面の例＞
画像形成装置におけるユーザモードの設定画面の例を以下の２つの例で示す。
・一般ユーザによるネットワーク設定の設定値変更の申請の例
・システム管理者によるシステム管理設定の設定値変更の例
画像形成装置では、印刷処理もしくはネットワークを介したデータ送受信処理などの各種処理を行う場合に所望する動作を、ユーザが予め設定しておくことができる。そして、実際に各種処理を行う際には、制御部２０１がその処理に応じた設定情報を参照して、ユーザの所望の動作になるように制御を行う。これを、例えばユーザモードと呼ばれる仕組みで実現している。
【００３２】
図４は、設定画面の一例を示す図である。
【００３３】
図４において、初期設定／登録画面は、「ネットワーク設定」、「システム管理設定」などのユーザモードキーを表示するユーザモードの設定画面の例である。制御部２０１は、ユーザにより操作部２０５のユーザモードキー３０７が押された場合に、初期設定／登録画面をタッチパネル部３０１に表示するように制御する。初期設定／登録画面のキーのいずれかがユーザにより押されると、制御部２０１は、押されたキーに対応する詳細な設定画面をタッチパネル部３０１に表示するように制御する。
【００３４】
例えば初期設定／登録画面でユーザによりキー４０１が押されると、制御部２０１は、「ネットワーク設定」に関する設定項目の設定を変更するための設定画面（図５）をタッチパネル部３０１に表示するように制御する。また、例えば初期設定／登録画面でユーザによりキー４０２が押されると、制御部２０１は、「システム管理設定」に関する設定項目の設定を変更するための設定画面（図１０）をタッチパネル部３０１に表示するように制御する。
【００３５】
ここで、「システム管理設定」に関する設定項目は、システム管理者のみが設定変更が可能な項目とする。一方、「ネットワーク設定」に関する設定項目など「システム管理設定」以外の設定項目は、システム管理者以外の一般のユーザでも設定変更が可能な項目とする。尚、図４に示す初期設定／登録画面の各種キーのうち、コピー仕様設定キーは画像形成装置がプリンタの場合は表示されず、画像形成装置が複写機や複合機の場合に表示される。
【００３６】
＜１．一般のユーザによるネットワーク設定の設定値変更の申請の例＞
一般のユーザによるネットワーク設定の設定値変更の申請の詳細な例（後述する図１３のステップＳ１３０１に相当）について図５乃至図９を用いて説明する。
【００３７】
図５に示す設定画面は、ネットワーク設定に関する設定項目をユーザが申請できるように構成された設定画面の例である。制御部２０１は、図４に示す初期設定／登録画面でユーザにより「ネットワーク設定」キー４０１が押された場合に、図５に示す設定画面をタッチパネル部３０１に表示するように制御する。図５に示す設定画面では、ネットワーク設定に関する設定項目を示す各種キー（ＳＮＭＰ設定、専用ポート設定、スプール機能を使用、起動時間の設定、Ethernet(登録商標)ドライバ設定）が表示されている。
【００３８】
図５に示す設定画面でユーザにより「ＳＮＭＰ設定」キー５０１が押されると、制御部２０１は、その操作に応答し、図６に示す設定画面をタッチパネル部３０１に表示するように制御する。図６に示す設定画面は、「ＳＮＭＰ設定」についての詳細な設定項目を表示する例である。ここでは、例えば「ＳＮＭＰｖ１を使用」と「ＭＩＢアクセス権限」の設定項目が表示されていることが分かる。図６に示す設定画面では、実際は「ＯＦＦ」キー６０１がハイライト表示されることで（図面ではハッチングで示す）、「ＳＮＭＰｖ１を使用」がＯＦＦに設定されていることを例示している。但し、ＭＩＢ：Management Information Base。
【００３９】
図６に示す設定画面で「ＳＮＭＰｖ１を使用」をＯＮに設定変更したい場合、まずユーザは「ＯＮ」キー６０２を押す。図６に示す設定画面でユーザにより「ＯＮ」キー６０２が押されると、制御部２０１は、図７に示す設定画面をタッチパネル部３０１に表示するように制御する。図７に示す設定画面では、実際は「ＯＮ」キー７０２がハイライト表示されることで（図面ではハッチングで示す）、「ＳＮＭＰｖ１を使用」をＯＮに設定変更しようとしていることを例示している。本実施の形態では、「ＳＮＭＰｖ１を使用」をＯＮにする設定変更を確定させるためにはシステム管理者の承認が必要となる。そのため、ユーザは、設定変更したいキーを押した後で「設定変更の申請」キー７０３を押し、「設定変更の申請」を行う必要がある。
【００４０】
図７に示す設定画面でユーザにより「設定変更の申請」キー７０３が押されると、制御部２０１は、図８に示す設定画面をタッチパネル部３０１に表示するように制御する。図８に示す設定画面は、「ＳＮＭＰｖ１を使用」をＯＮにする設定変更の意図を入力するようユーザに促す画面の例である。図８に示す設定画面のタッチパネル上のキーボード風のキーが押されると、制御部２０１は、押されたキーの内容に対応した文字列を文字列表示領域８０１に表示するよう制御する。図８に示す設定画面では、文字列表示領域８０１に設定変更の意図として「imageWareXXXというアプリケーションソフトを利用するため」が入力され表示されていることを例示している。
【００４１】
図８に示す設定画面で設定変更の申請のためにユーザにより「申請実行」キー８０２が押されると、制御部２０１は、図９に示す設定画面をタッチパネル部３０１に表示するように制御する。図９に示す設定画面は、設定変更の申請を受け付けたことを表示する画面の例である（表示例：「管理者に、設定変更の申請を行いました。許可／承認されるまで、お待ちください。」）。図９に示す設定画面でユーザにより「ＯＫ」キー９０１が押されると、制御部２０１は、例えば図５に示す設定画面（ネットワーク設定）をタッチパネル部３０１に表示するように制御する。これにより、ユーザが設定変更を申請する一連の操作が完了したことになる。なお、この時点では、ネットワーク設定の変更は完了していない。
【００４２】
＜２．システム管理者によるシステム管理設定の設定値変更の例＞
システム管理者によるシステム管理設定の設定値変更の例について図１０を用いて説明する。
【００４３】
図１０に示す設定画面は、ネットワーク設定に関する設定情報をシステム管理者が登録できるように構成された設定画面の例である。制御部２０１は、図４に示す設定画面で「システム管理設定」キー４０２が押された場合に、図１０に示す設定画面をタッチパネル部３０１に表示するように制御する。図１０に示す設定画面では、システム管理設定に関する設定項目を示すキーが表示されているのが分かる。
【００４４】
図１０に示す設定画面でシステム管理者により「管理ポリシー設定」キー１００１が押されると、制御部２０１は、その操作に応答し、図１１に示す設定画面をタッチパネル部３０１に表示するように制御する。図１１に示す設定画面は、「管理ポリシー設定」についての詳細な設定項目を表示する画面の例である（表示例：「管理者により機器情報配信された場合に、「機器情報配信」を優先するか、承認済みの「機器の設定」を優先するか、を選んでください。」）。ここでは、管理ポリシー設定として、同じ設定項目に対して、機器情報配信サービスによって他の機器（画像形成装置）から配信された設定値と、既に承認済みの自身の機器（画像形成装置）の設定値とのいずれを優先するかを選択する。
【００４５】
「管理ポリシー設定」に「機器情報配信優先」１１０１が設定されている場合、自身の機器で設定値がシステム管理者に承認されていたとしても、機器情報配信サービスで配信された他の機器の設定値で上書きされることになる。一方、「管理ポリシー設定」に「機器の設定優先」１１０２が設定されている場合、他の機器の設定値が機器情報配信サービスで配信されたとしても、自身の機器の設定値がシステム管理者に承認されている項目については、配信された設定値で上書きはされない。即ち、システム管理者に承認されている項目については、自身の機器の設定が優先され、そのまま設定値が残ることになる。システム管理者に承認されていない項目は、機器情報配信サービスで配信された設定値で上書きされる。
【００４６】
尚、上記の例では、システム管理者が画像形成装置の設定画面のキー操作により設定値変更を行う場合を示しているが、これに限定されるものではない。システム管理者による設定値変更の方法としては、ネットワーク１００に接続された情報処理装置の設定画面のキー操作（リモート操作）による設定値変更、画像形成装置の設定画面のキー操作による設定値変更のいずれでよい。リモート操作の場合は、下記の図１３で説明するように、システム管理者の情報としてメールアドレスなどの連絡先が必要となる。
【００４７】
次に、本実施の形態の画像形成装置の制御例について説明する。
【００４８】
図１３は、本実施の形態に係る画像形成装置の制御例を示すフローチャートである。
【００４９】
図１３において、本処理は、主に、画像形成装置の制御部２０１が実行する画像形成装置の設定変更の申請・承認の方法に関する制御における一連の処理手順を示す。本処理を画像形成装置に実行させるためのプログラムコードは、例えばＲＯＭ２０２にプログラムデータとして予め記憶されている。制御部２０１は、ＲＯＭ２０２からプログラムデータを読み出して実行することで本処理を画像形成装置に実行させる。
【００５０】
まず、画像形成装置の制御部２０１は、操作部２０５を介したユーザによるキー操作に応答して各種の印刷条件の設定変更の申請をユーザから受け付ける（ステップＳ１３０１）。ステップＳ１３０１の処理の詳細な画面表示の例については、「１．一般ユーザによるネットワーク設定の設定値変更の申請の例」として図５乃至図９に示す設定画面を用いて既に説明した。尚、ステップＳ１３０１で、制御部２０１は、申請内容（日時、申請者、設定意図などの情報）を設定項目（例えばネットワーク設定の場合のＳＮＭＰ設定）と結びつけて、ＮＶＲＡＭ２０８に保存する。
【００５１】
画像形成装置のネットワーク設定に関する設定項目一覧の一例（設定変更の申請）を図１５ａに示す。図１５ａにおいて、項目「ＳＮＭＰｖ１を使用」に対して設定値を「ＯＦＦ」から「ＯＮ」に変更する申請がされている（１５０１）。更に、その申請内容（日時、申請者、設定意図などの情報）が合わせて保持されていることが分かる（１５０２）。「申請者」が操作部２０５にログインすることで、このログイン操作をしているユーザ（「申請者」）に関わる設定項目と申請内容がＮＶＲＡＭ２０８に保存されることになる。
【００５２】
次に、制御部２０１は、ステップＳ１３０１で受け付けた設定変更の申請に対して承認を依頼する通知をシステム管理者に行う（ステップＳ１３０２）。即ち、ネットワーク１００に接続されたシステム管理者が保持する管理装置１１０に通知される。この場合、機器（画像形成装置）のユーザモードに対応して、システム管理者の情報（メールアドレスなどの連絡先）がＮＶＲＡＭ２０８に登録・保存されているので、システム管理者のメールアドレス宛に電子メールを送信する。システム管理者の情報の登録は、機器の設置時などに、図１２に示すシステム管理者情報の設定画面でシステム管理者が自分の名前１２０１、メールアドレス１２０２などを予め登録・保存しておくことで実現される。
【００５３】
制御部２０１は、図１０に示す設定画面でユーザにより「システム管理者情報の設定」キー１００２が押された場合に、図１２に示す設定画面をタッチパネル部３０１に表示するように制御する。そして、制御部２０１は、上記ステップＳ１３０２にて、図１２に示す設定画面で予め入力されているシステム管理者のメールアドレスに対して、承認を依頼するための電子メール送信を外部Ｉ／Ｆ２０７を介して行う。電子メールを受信したシステム管理者は画像形成装置の設置場所へ出向き、画像形成装置の操作部２０５により下記の操作を行う。
【００５４】
次に、制御部２０１は、操作部２０５を介したシステム管理者によるキー操作に応答して、図１４に示す申請内容の確認・承認用の設定画面をタッチパネル部３０１に表示する（ステップＳ１３０３）。制御部２０１は、ＮＶＲＡＭ２０８に保持されている申請内容（日時、申請者、設定意図などの情報）を図１４に示す設定画面の表示領域１４０１に表示する。表示領域１４０１の表示により、システム管理者に「承認する」キー１４０３か「承認しない」キー１４０２のいずれかを押すことを促す。
【００５５】
次に、制御部２０１は、システム管理者により、「承認する」キー１４０３、「承認しない」キー１４０２のいずれが押されたかを判断する（ステップＳ１３０４）。「承認する」キー１４０３が押されたと判断すると（ステップＳ１３０４でＹＥＳ）、制御部２０１は、申請された設定値及び申請内容（日時、申請者、設定意図などの情報）を設定項目と結びつけてＮＶＲＡＭ２０８に保存する（ステップＳ１３０５）。
【００５６】
画像形成装置のネットワーク設定に関する設定項目一覧の一例（設定変更の保存）を図１５ｂに示す。図１５ｂにおいて、システム管理者の承認をうけて、「ＳＮＭＰｖ１を使用」の設定値が「ＯＮ」に設定変更されていている（１５０３）。更に、承認された申請内容（日時、申請者、設定意図などの情報）が合わせて保持されていることが分かる（１５０４）。ステップＳ１３０５で設定値及び申請内容の保存が終了すると、一連の処理を終了する。
【００５７】
一方、「承認しない」キー１４０２が押されたと判断すると（ステップＳ１３０４でＮＯ）、制御部２０１は、申請されていた設定値及び申請内容（日時、申請者、設定意図などの情報）をＮＶＲＡＭ２０８からクリアする（ステップＳ１３０６）。尚、後述する他の実施の形態のように、システム管理者が保持する情報処理装置１１０のリモートユーザインタフェースを用いて、設定値変更の承認に関わる全ての操作を行ってもよい。
【００５８】
画像形成装置のネットワーク設定に関する設定項目一覧の一例（設定変更申請のクリア）を図１５ｃに示す。図１５ｃにおいて、「ＳＮＭＰｖ１を使用」に対して設定値を「ＯＮ」に変更する申請がクリア（「−」を記載）されている（１５０６）。更に、その申請内容（日時、申請者、設定意図などの情報）もクリア（「−」を記載）されていることが分かる（１５０７）。更に、設定値が「ＯＦＦ」のままになっており、設定変更がなされていないことも分かる（１５０５）。ステップＳ１３０６で設定変更申請のクリアが終了すると、一連の処理を終了する。
【００５９】
上記ステップＳ１３０５により、システム管理者によって設定変更申請が承認され、その後に図５に示す設定画面の「ＳＮＭＰ設定」キー５０１が押されると、図１６に示す設定画面がタッチパネル部３０１に表示されることになる。これは、制御部２０１が、図１５ｂの設定値を参照して、図１６に示す設定画面がタッチパネル部３０１に表示されるよう制御するためである。
【００６０】
図１７は、本実施の形態に係る画像形成装置の制御例を示すフローチャートである。
【００６１】
図１７において、本処理は、画像形成装置の機器情報配信データの受信の方法に関する制御における一連の処理手順を示す。本処理を画像形成装置に実行させるためのプログラムコードは、例えばＲＯＭ２０２にプログラムデータとして予め記憶されている。制御部２０１は、ＲＯＭ２０２からプログラムデータを読み出して実行することで本処理を画像形成装置に実行させる。尚、本処理では、説明の便宜上、機器情報配信側デバイスを画像形成装置１０３、機器情報受信側デバイスを画像形成装置１０１とする。
【００６２】
まず、機器情報受信側デバイスである画像形成装置１０１の制御部２０１は、機器情報配信側デバイスである画像形成装置１０３から機器情報配信データ（画像形成装置１０３の設定項目とその設定値）を受信する（ステップＳ１７０１）。ここで、機器情報配信データとは、図１８に示した機器情報配信サービスで配信される設定情報（デバイス設定値情報、アドレス帳情報、部門管理情報など）のことである。図１８の例では、機器情報配信サービスで配信されるデバイス設定値情報として設定項目と設定値との対応関係を複数段図示しており、例えば２段目の設定項目「ＳＮＭＰｖ１を使用」は設定値「ＯＦＦ」となっている。
【００６３】
次に、画像形成装置１０１の制御部２０１は、受信した機器情報配信データを構成する１番目の設定項目（図１８の例では１段目）に注目する（ステップＳ１７０２）。そして、制御部２０１は、注目している設定項目に対応した画像形成装置１０１自身の設定項目がシステム管理者によって承認されているか否かを判断する（ステップＳ１７０３）。即ち、制御部２０１は、ＮＶＲＡＭ２０８に格納されている画像形成装置１０１の各種設定値（図１５参照）を参照することで、設定項目の承認の有無を判断する。各種設定項目は、もしシステム管理者に承認されていれば、その設定変更の申請内容（日時、申請者、設定意図などの情報）も結びつけられて格納されている。
【００６４】
注目している設定項目が管理者によって承認されていないと判断した場合、制御部２０１は、注目している設定項目に対応した画像形成装置１０１自身の設定項目の設定値を、機器情報配信データの設定値で上書きする（ステップＳ１７０４）。その後、後述のステップＳ１７０６に処理を進める。一方、注目している設定項目が管理者によって承認されていると判断した場合、制御部２０１は、画像形成装置１０１自身の「管理ポリシー設定」の設定値が、「機器情報配信を優先」であるか、「機器の設定優先」であるかを判断する（ステップＳ１７０５）。
【００６５】
「管理ポリシー設定」が「機器情報配信を優先」であると判断した場合、制御部２０１は、注目している設定項目に対応した画像形成装置１０１自身の設定項目の設定値を、機器情報配信データの設定値で上書きする（ステップＳ１７０４）。一方、「管理ポリシー設定」が「機器の設定優先」であると判断した場合、制御部２０１は、機器情報配信データの設定値での上書きを行わない。そして、制御部２０１は、機器情報配信データの全設定項目に対する処理が完了したか否かを判断する（ステップＳ１７０６）。
【００６６】
全設定項目の処理が完了していないと判断した場合、制御部２０１は、受信した機器情報配信データの次の設定項目に注目する（ステップＳ１７０７）。そして、制御部２０１は、ステップＳ１７０３に処理を進め、新たに注目した設定項目について上述したように処理を継続する。一方、全項目の処理が完了したと判断した場合、制御部２０１は、一連の処理を終了するよう画像形成装置を制御する。
【００６７】
以上説明したように、本実施の形態によれば以下の作用効果を奏する。
【００６８】
機器（画像形成装置）の設定情報の設定変更にはシステム管理者に承認を依頼する操作が必要となるので、誤設定を防止することが可能となる。
【００６９】
また、システム管理者に承認された設定値が機器情報配信サービスによって上書きされるか否かは、システム管理者により予め機器に設定されている管理ポリシーに従うよう制御するので、システム管理者の管理性を向上させることが可能となる。
【００７０】
また、システム管理者に承認された設定値を、機器情報配信サービスによって上書き可能に選択できるので、システム管理者の管理性を向上させることが可能となる。
【００７１】
また、システム管理者が承認済みの設定値は、機器情報配信サービスによって上書きされないよう選択できるので、機器情報配信サービスの利便性とカスタマイズ設定の保持を両立させることが可能となる。
【００７２】
また、システム管理者に承認された設定項目について申請者の氏名と設定の意図が操作部２０５に表示されるため、「誰が」「どのような理由／目的でその値を設定しているのか」が一目瞭然に分かるようになる。これにより、設定の意図が不明なために不用意に設定変更されてしまうことを防止することが可能となる。
【００７３】
また、設定値を見直しするような場合、設定の変更の可否を確認する確認先が明確になり、確認作業を容易にすることが可能となる。
【００７４】
〔第２の実施の形態〕
本発明の第２の実施の形態は、上記第１の実施の形態に対して、図１９で説明する点において相違する。本実施の形態のその他の要素は、上記第１の実施の形態（図１、図２、図３等）の対応するものと同一なので説明を省略する。
【００７５】
上記第１の実施の形態では、機器情報配信データを受信した画像形成装置において自身の管理ポリシーの設定値に従って、機器情報配信データの設定と機器の設定とのいずれかを優先するよう動作する場合について説明した。この場合、機器情報配信データの設定と機器の設定とのいずれかを優先して処理する。そのため、管理ポリシーの設定によって優先にならなかった対象者にとっては、設定値が上書きされてしまっていることに気づかなかったり、設定値が上書きされなかったことに気づかなかったりする可能性がある。
【００７６】
本実施の形態では、上記のような可能性に対処するため、例えば、優先にならなかった対象者に通知を行うようにする場合を例に挙げて説明する。本実施の形態では、上記第１の実施の形態の図１７のフローチャートに示す処理が図１９のフローチャートに示す処理に置き換わる。
【００７７】
図１９は、本実施の形態に係る画像形成装置の制御例を示すフローチャートである。
【００７８】
図１９において、ステップＳ１９０１〜ステップＳ１９０５、ステップＳ１９０８〜ステップＳ１９０９は、図１７のステップＳ１７０１〜ステップＳ１７０７と同じ処理である。図１９には、ステップＳ１９０６及びステップＳ１９０７が追加されており、ステップＳ１９０６及びステップＳ１９０７以外のステップは図１７と同じ処理であるため、説明を省略する。そこで、追加されたステップＳ１９０６とステップＳ１９０７の処理のみを説明する。
【００７９】
ステップＳ１９０５（ステップＳ１７０５に相当）にて「管理ポリシー設定」が「機器情報配信を優先」であると判断した場合、制御部２０１は、処理をステップＳ１９０６に進める。制御部２０１は、システム管理者に承認された設定変更を申請した申請者が保持する情報処理装置（申請元）に対し、承認された設定が上書きされるという通知を外部Ｉ／Ｆ２０７を介して行う（ステップＳ１９０６）。申請者については、ＮＶＲＡＭ２０８に申請者の宛先を示す情報（メールアドレス）が保存されているので、それを利用して通知する。そして、制御部２０１は、機器情報配信データで上書きした後（ステップＳ１９０４（ステップＳ１７０４に相当））、処理をステップＳ１９０８に進める。
【００８０】
一方、ステップＳ１９０５にて「管理ポリシー設定」が「機器の設定優先」であると判断した場合、制御部２０１は、処理をステップＳ１９０７に進める。制御部２０１は、機器情報配信サービスを実行した機器情報配信者に対し、配信された設定が上書きされなかったという通知を行う（ステップＳ１９０７）。これは、例えば、機器情報配信側の画像形成装置１０３（配信元）に通知することにより行う。そして、制御部２０１は、全設定項目に対して処理が完了したか否かの判断を行う（ステップＳ１９０８（ステップＳ１７０６に相当））。
【００８１】
以上説明したように、本実施の形態によれば以下の作用効果を奏する。
【００８２】
機器情報配信データの設定と機器の設定とにおいて、管理ポリシーの設定によって優先にならなかった対象者に通知を行うように制御する。これにより、設定値が上書きされてしまっていることに気づかなかったり、設定値が上書きされなかったことに気づかなかったりすることを防止することが可能となる。
【００８３】
〔他の実施の形態〕
第１の実施の形態では、システム管理者によるシステム管理設定の設定値変更の承認等について説明したが、システム管理者による設定値変更の承認等を行う手段としては特定のものに限定されるものではない。システム管理者が、図１３で説明した画像形成装置の設定画面からの操作以外にも、ネットワーク接続された情報処理装置１１０からのリモート通信によるリモートユーザインタフェースを用いて、設定値変更の承認に関わる全ての操作を行ってもよい。
【００８４】
第１及び第２の実施の形態では、画像形成装置をプリンタとした場合を例に挙げたが、プリンタに限定されるものではない。画像形成装置は、プリンタの他に、複写機、複合機、ファクシミリのいずれであってもよい。
【００８５】
また、本発明は、以下の処理を実行することによっても実現される。即ち、上述した実施の形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８６】
１０１〜１０３  画像形成装置
２０１  ＣＰＵ
２０５  操作部
２０８  ＮＶＲＡＭ
【図１】
2012025009.tif 000003
【図２】
2012025009.tif 000004
【図３】
2012025009.tif 000005
【図４】
2012025009.tif 000006
【図５】
2012025009.tif 000007
【図６】
2012025009.tif 000008
【図７】
2012025009.tif 000009
【図８】
2012025009.tif 000010
【図９】
2012025009.tif 000011
【図１０】
2012025009.tif 000012
【図１１】
2012025009.tif 000013
【図１２】
2012025009.tif 000014
【図１３】
2012025009.tif 000015
【図１４】
2012025009.tif 000016
【図１５ａ】
2012025009.tif 000017
【図１５ｂ】
2012025009.tif 000018
【図１５ｃ】
2012025009.tif 000019
【図１６】
2012025009.tif 000020
【図１７】
2012025009.tif 000021
【図１８】
2012025009.tif 000022
【図１９】
2012025009.tif 000023